(57)【要約】【課題】  携帯可能な程度に小型で、靴下やハンカチなどのような小物の脱水に適した脱水装置を提供する。【解決手段】  遠心脱水装置の脱水槽１とカバー２を、断面がほぼ円形の複数の管からなる入子構造とし、外側の管の内周側と内側の管の外周側を摺動させることにより、中心軸方向に伸縮可能とする。これによって一定以上の容積の洗濯物を収容可能で、非使用時には、縮小可能な脱水槽１を具備し、バッグ類へ収納して携行が可能な遠心脱水装置が得られる。【選択図】図１
2012235995.tif 000002
【特許請求の範囲】
【請求項１】
ほぼ円筒形の形状を有し駆動装置により回転可能な脱水槽と、前記脱水槽を覆うことが可能なほぼ円筒形のカバーと、前記脱水槽の駆動装置の収納部を具備してなる遠心脱水装置において、前記脱水槽及びカバーは、断面がほぼ円形の複数の管からなる入子構造を有し、外側の管の内周側と内側の管の外周側を摺動させることにより、中心軸方向に伸縮可能であることを特徴とする遠心脱水装置。
【請求項２】
前記収納部における前記脱水槽側に、ドレンが設けられていることを特徴とする、請求項１に記載の遠心脱水装置。
【発明の詳細な説明】
【技術分野】
【０００１】  本発明は、洗濯物の脱水装置に関わり、特に携帯が可能で、旅行先などでも使用可能な小型の遠心脱水装置に関わる物である。
【背景技術】
【０００２】  旅行先においては、シャツなどの洗濯に、宿泊設備のランドリーサービスを利用することが多いが、靴下やハンカチなどの小物については、その都度サービスを依頼するのが煩わしく感じることがある。また、日常生活においても、布巾などを洗った際は、速やかに脱水を行うことにより、雑菌の繁殖などを抑制したい場合がある。【０００３】  このような用途を想定して、例えば特許文献１には、駆動用のモータをＩＣコンバータで制御することを特徴とする脱水可能小型洗濯機が開示されている。しかし、ここに開示されている洗濯機は小型化のための設計が必ずしも十分ではなく、携帯可能とするためには、なお改良を要する。【０００４】  また、一般に靴下やハンカチの類は、極端に汚れた状態で洗濯することが少なく、布地が薄く小さいので、手洗いで十分な場合があり、しかも遠心分離などにより、十分に脱水することにより、短時間で乾燥することができる。このため、脱水の対象をこれらのような物品に特化した小型の脱水機があれば、極めて有用であると思われる。
【先行技術文献】
【特許文献】
【０００５】
【特許文献１】  特開２０１０−２８４２１５号公報
【発明の概要】
【発明が解決しようとする課題】
【０００６】  従って、本発明の課題は、携帯可能な程度に小型で、靴下やハンカチなどのような小物の脱水に適した脱水装置を提供することである。
【課題を解決するための手段】
【０００７】  モータを駆動する磁石や、制御回路を構成する電子部品などは、高性能化や小型化が著しい分野で、これらを応用することで、脱水装置における駆動部については、携帯可能な程度まで小型化するのは比較的容易である。しかし、脱水の対象、つまり洗濯物までは小さくすることが不可能であるため、脱水槽の小型化には実質的に限界がある。【０００８】  本発明者は、前記の課題に鑑み、使用時には一定以上の容量を有し、非使用時には小型化が可能な脱水槽を検討した結果、伸縮可能な構造に想到し、本発明をなすに至ったものである。【０００９】  即ち、本発明は、ほぼ円筒形の形状を有し駆動装置により回転可能な脱水槽と、前記脱水槽を覆うことが可能なほぼ円筒形のカバーと、前記脱水槽の駆動装置の収納部を具備してなる遠心脱水装置において、前記脱水槽及びカバーは、断面がほぼ円形の複数の管からなる入子構造を有し、外側の管の内周側と内側の管の外周側を摺動させることにより、中心軸方向に伸縮可能であることを特徴とする遠心脱水装置である。【００１０】  また、本発明は、前記収納部における前記脱水槽側に、ドレンが設けられていることを特徴とする、前記の遠心脱水装置である。
【発明の効果】
【００１１】  本発明による遠心脱水装置は、前記のように脱水槽が伸縮可能な構造を有するので、脱水に使用する際には、脱水槽を伸張した状態にし、使用しない際には、脱水槽を縮小し、全体を小型化できる。このため、バッグ類に収納が可能で、旅行先などに携行することができる。
【図面の簡単な説明】
【００１２】
【図１】  本発明に係る遠心脱水装置の一例を示す一部破砕断面図、図１（ａ）は使用時の状態、図１（ｂ）は非使用時の状態。
【発明を実施するための形態】
【００１３】  次に具体的な例に基づいて、本発明の実施の形態について説明する。
【００１４】  図１は、本発明に係る遠心脱水装置の一例を示す一部破砕断面図で、図１（ａ）は使用時の状態を示し、図１（ｂ）は非使用時の状態を示す。図１において、１は脱水槽、１ａ、１ｂ、１ｃは脱水槽を構成する管状部材、２はカバー、２ａ、２ｂ、２ｃはカバーを構成する管状部材、３は蓋、４は回転駆動軸、５はモータなどの回転駆動装置収納部、６は回転速度調整つまみ、７は電源スイッチ、８は電源灯、９はドレン管である。
【００１５】  図１に示したように、本例では、脱水槽１は、３箇の脱水槽を構成する管状部材１ａ、１ｂ、１ｃからなる入子構造で、外側の管の内周側と内側の管の外周側を摺動させることにより、中心軸方向に伸縮可能である。図１（ａ）のように伸張した状態で、それぞれの管状部材を相互に固定するためには、図示していない固定ピンの挿入や、外周側の上端部に設けた雄ネジと内周側の下端部に設けた雌ネジの螺合により行うことができる。
【００１６】  螺合により固定する場合のネジは、脱水槽の回転により緩まないように、右ネジまたは左ネジを適宜する必要がある。また、カバー２も、脱水槽１と同様に、３箇のカバーを構成する管状部材２ａ、２ｂ、２ｃからなる入子構造であり、伸縮が可能となっている。
【００１７】  カバー２と、蓋３は、ともに必須の構成要素ではないが、安全性を考慮すると使用するのが望ましく、さらには、カバー２が縮小した状態や、蓋３が被せられていない状態では、駆動装置が作動しないように、スイッチを設けることが望ましい。
【００１８】  脱水槽１には、脱水槽１とカバー２の空隙部分に水を排出するために、貫通孔が設けられている。そして、脱水槽１から排出された水は、回転駆動装置収納部５に設けられたドレン管９を通じて外部に排出される。
【００１９】  回転駆動装置収納部５の内部にはモータ、制御回路、電源などが収納される。電源は、外部から導入することも可能で、利便性を考慮すると、繰り返し充電が可能な二次電池との併用が望ましい。
【００２０】  以上に説明したように、本発明によれば、携帯が可能で旅行先などでも簡便に使用可能な、小型の遠心脱水装置を提供できる。なお、本発明は、前記実施の形態に限定されるものではなく、例えば、脱水槽１とカバー２を４箇以上の部材から構成するような、本発明の分野における通常の知識を有する者であれば想到し得る、各種変形、修正を含む、本発明の要旨を逸脱しない範囲の設計変更があっても、本発明に含まれることは勿論である。
【符号の説明】
【００２１】１                脱水槽
１ａ，１ｂ，１ｃ  脱水槽を構成する管状部材
２                カバー
２ａ，２ｂ，２ｃ  カバーを構成する管状部材
３                蓋
４                回転駆動軸
５                回転駆動装置収納部
６                回転速度調整つまみ
７                電源スイッチ
８                電源灯
９                ドレン管
【図１】
2012235995.tif 000003